(57)【特許請求の範囲】
【請求項１】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記制御ボックスは前記制御基板の各部品へのリード線の引き込み口を有し、前記引き込み口を本体正面側に配置したことを特徴とする手乾燥装置。
【請求項２】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記ケースに対して、制御基板の部品面が下側に向くように位置したことを特徴とする手乾燥装置。
【請求項３】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記ケースの壁面を、制御基板の部品面よりも下側に長くしたことを特徴とする手乾燥装置。
【請求項４】
前記引き込み口の構成を、ケースとカバーのあわせ部にリード線引き込み後に確認できるように切欠きを設けたことを特徴とする請求項１記載の手乾燥装置。
【請求項５】
リード線の制御基板への前記引き込み口が、前記制御基板の部品面よりも下側に形成したことを特徴とする請求項１または４に記載の手乾燥装置。
【請求項６】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記制御ボックスの風路の前記穴は、本体の吸込口から見えない場所に配置したことを特徴とする手乾燥装置。
【請求項７】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記カバーは、本体の外殻の一部を形成していることを特徴とする手乾燥装置。
【請求項８】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
本体に固定された制御ボックスからカバーのみが着脱できることを特徴とする手乾燥装置。
【請求項９】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
制御ボックス内を冷却するための穴と本体の吸込口との間に、制御ボックスの上面にリブを設けたことを特徴とする手乾燥装置。
【請求項１０】
前記リブを、風向に対して垂直に配置したことを特徴とする請求項９記載の手乾燥装置。
【請求項１１】
外部に向かって開口した挿入口から手を抜き差しできる乾燥室と、前記乾燥室の下部にドレン容器を設けた水受け部と、前記乾燥室に向けて空気を送出するノズル部と、前記ノズ
ル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口し、
前記制御ボックスの上面を、本体の吸込口に向かって傾斜させたことを特徴とする手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、一般的に基板を冷却する際、新たに冷却手段を設けないといけないという課題がある。
【０００５】
本発明は、このような従来の課題を解決するものであり、吸込風路を利用して基板を冷却する手乾燥装置を提供することを目的とする。
【課題を解決するための手段】
【０００６】
本発明に係る手乾燥装置は、上記目的を達成するために、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口したものである。
【０００７】
また、他の手段は、ケースに対して、制御基板の部品面が下側に向くように位置したものである。
【０００８】
また、他の手段は、ケースの壁面を、制御基板の部品面よりも下側に長くしたものである。
【０００９】
また、他の手段は、各部品から制御ボックスへのリード線の引き込み口を、本体正面側に配置したものである。
【００１０】
また、他の手段は、引き込み口の構成を、ケースとカバーのあわせ部にリード線引き込み後に確認できるように切欠きを設けたものである。
【００１１】
また、他の手段は、リード線の制御基板への引き込み口が、前記制御基板の部品面よりも下側に形成したものである。
【００１２】
また、他の手段は、制御ボックスの風路の開口は、本体の吸込口から見えない場所に配置したものである。
【００１３】
また、他の手段は、カバーは、本体の外殻の一部を形成しているものである。
【００１４】
また、他の手段は、本体に固定された制御ボックスからカバーのみが着脱できるものである。
【００１５】
また、他の手段は、制御ボックス内を冷却するための穴と本体の吸込口との間に、制御ボックスの上面にリブを設けたものである。
【００１６】
また、他の手段は、リブを、風向に対して垂直に配置したものである。
【００１７】
また、他の手段は、制御ボックスの上面を、本体の吸込口に向かって傾斜させたものである。
【発明の効果】
【００１８】
本発明によれば、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口したことにより、吸込風路の吸込風を利用して基板を効率よく冷却することができるという効果のある手乾燥装置を提供することができる。
【００１９】
また、ケースに対して、制御基板の部品面が下側に向くように位置したことにより、部品面に水や埃の堆積を防ぐことができるという効果のある手乾燥装置を提供することができる。
【００２０】
また、ケースの壁面を、制御基板の部品面よりも下側に長くしたことにより、基板ケース外から侵入した水が基板に直接かからず、かつ、基板の半田面に水と埃の付着がないという効果のある手乾燥装置を提供することができる。
【００２１】
また、各部品から制御ボックスへのリード線の引き込み口を、本体正面側に配置したことにより、基板ケースを本体に固定した後にリード線の配線処理を容易に行うことができるという効果のある手乾燥装置を提供することができる。
【００２２】
また、引き込み口の構成を、ケースとカバーのあわせ部にリード線引き込み後に確認できるように切欠きを設けたことにより、配線したリード線がケースとカバーの間に挟み込まれることを防止できるという効果のある手乾燥装置を提供することができる。
【００２３】
また、リード線の制御基板への引き込み口が、前記制御基板の部品面よりも下側に形成したことにより、リード線から伝わって基板ケース内に侵入した水が、基板に直接かからないという効果のある手乾燥装置を提供することができる。
【００２４】
また、制御ボックスの風路の開口は、本体の吸込口から見えない場所に配置したことにより、直接制御ボックスの開口から水が制御ボックス内に浸入することがないという効果のある手乾燥装置を提供することができる。
【００２５】
また、カバーは、本体の外殻の一部を形成していることにより、充電部に直接手を触れることがなく、かつ、部品点数を削減することができるという効果のある手乾燥装置を提供することができる。
【００２６】
また、本体に固定された制御ボックスからカバーのみが着脱できることにより、制御ボックス内の配線処理とメンテナンス作業が容易にするこができるという効果のある手乾燥装置を提供することができる。
【００２７】
また、制御ボックス内を冷却するための穴と本体の吸込口との間に、制御ボックスの上面にリブを設けたことにより、本体の吸込口から侵入した水が冷却用の穴から浸入しないという効果のある手乾燥装置を提供することができる。
【００２８】
また、リブを、風向に対して垂直に配置したことにより、本体の吸込口から侵入した水がより冷却用の穴から浸入することがないという効果のある手乾燥装置を提供することができる。
【００２９】
また、制御ボックスの上面を、本体の吸込口に向かって傾斜させたことにより、制御ボックスの上面の水が本体の吸込口から排出され冷却用の穴から浸入することがないという効果のある手乾燥装置を提供することができる。
【図面の簡単な説明】
【００３０】
【図１】本発明の実施の形態１の手乾燥装置の内部を示す構成図
【図２】同手乾燥装置の側断面図
【図３】同手乾燥装置のケースを示す底面構成図
【図４】同手乾燥装置の制御ボックスのあわせ部を示す部分斜視図
【図５】同手乾燥装置の底面斜視図
【図６】同手乾燥装置の制御ボックスの側断面図
【発明を実施するための形態】
【００３１】
本発明に係る手乾燥装置は、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ヒートシンクを有した制御基板と、ファンモータの手前側にフィルターとを備えた本体である手乾燥装置であって、前記ファンモータと前記本体から外部の空気が吸い込まれる吸込口との間に位置した風路を形成し、部品を配置した前記制御基板を入れるケースとカバーから成る制御ボックスは、前記制御ボックス内を冷却するための穴が、前記風路内につながるように開口したこととしたものであり、吸込口からモータまでの風を分岐させ、その一部が基板上
のヒートシンクを通過した後に、吸込風路に戻るという作用を有する。
【００３２】
また、ケースに対して、制御基板の部品面が下側に向くように位置したこととしたものであり、水や埃が制御基板の上側に堆積するという作用を有する。
【００３３】
また、ケースの壁面を、制御基板の部品面よりも下側に長くしたこととしたものであり、水が壁面を伝わって、制御基板に付着することなく排出するという作用を有する。
【００３４】
また、各部品から制御ボックスへのリード線の引き込み口を、本体正面側に配置したこととしたものであり、本体の各部品とをつなぐリード線を結線するという作用を有する。
【００３５】
また、引き込み口の構成を、ケースとカバーのあわせ部にリード線引き込み後に確認できるように切欠きを設けたこととしたものであり、基板から出てくるリード線を切欠きを通して配線処理するという作用を有する。
【００３６】
また、リード線の制御基板への引き込み口が、前記制御基板の部品面よりも下側に形成したこととしたものであり、水がリード線を伝わって、制御基板に付着することなく排出するという作用を有する。
【００３７】
また、制御ボックスの風路の開口は、本体の吸込口から見えない場所に配置したこととしたものであり、誤って吸込口から侵入した水は、制御ボックスの開口まで到達しないという作用を有する。
【００３８】
また、カバーは、本体の外殻の一部を形成していることとしたものであり、カバーは、本体の外殻の一部を形成しているという作用を有する。
【００３９】
また、本体に固定された制御ボックスからカバーのみが着脱できることとしたものであり、制御ボックスの下面にカバーが形成され、カバーを前面にスライドして取り外すと、ケース内の基板が確認できるという作用を有する。
【００４０】
また、制御ボックス内を冷却するための穴と本体の吸込口との間に、制御ボックスの上面にリブを設けたこととしたものであり、誤って吸込口から侵入した水は、リブに衝突し排出するという作用を有する。
【００４１】
また、リブを、風向に対して垂直に配置したこととしたものであり、誤って吸込口から侵入した水は、風向に対して垂直にリブに衝突し風に誘引されることなく排出するという作用を有する。
【００４２】
また、制御ボックスの上面を、本体の吸込口に向かって傾斜させたこととしたものであり、衝突した水は風に誘引されることなく傾斜される方向に排出するという作用を有する。
【００４３】
以下、本発明の実施の形態について、図面を参照しながら説明する。
【００４４】
（実施の形態１）
図１〜図６に示すように、外部１に向かって開口２した挿入口３から手を抜き差しできる乾燥室４と、乾燥室４の下部５にドレン容器６を設けた水受け部７と、乾燥室４に向けて空気を送出するノズル部８と、ノズル部８から空気を送出するファンモータ９と、ヒートシンク１０を有した制御基板１１と、ファンモータ９の手前側にフィルター１２とを備えた本体１３である手乾燥装置であって、部品を配置した制御基板１１を入れるケース１
４とカバー１５から成る制御ボックス１６は、ファンモータ９と本体１３から外部１の空気が吸い込まれる吸込口１７との間に位置し、風路１８を形成し、制御ボックス１６内を冷却するための穴１９が、風路１８内につながるように開口した構成とする。
【００４５】
上記構成により、吸込口１７からファンモータ９までの風を分岐させ、その一部が制御基板１１上のヒートシンク１０を通過した後に、吸込の風路１８に戻る。
【００４６】
このように、吸込の風路の吸込風を利用して制御基板を効率よく冷却することができることとなる。
【００４７】
また、ケース１４に対して、制御基板１１の部品面２０が下側２１に向くように位置した構成とする。
【００４８】
上記構成により、水や埃が制御基板１１の上側２２に堆積する。
【００４９】
このように、部品面に水や埃の堆積を防ぐことができることとなる。
【００５０】
また、ケース１４の壁面２３を、制御基板１１の部品面２０よりも下側２１に長くした構成とする。
【００５１】
上記構成により、水が壁面２３を伝わって、制御基板１１に付着することなく排出する。
【００５２】
このように、基板ケース外から侵入した水が基板に直接かからず、かつ、基板の半田面に水と埃の付着がないこととなる。
【００５３】
また、各部品２４から制御ボックス１６へのリード線２５の引き込み口２６を、本体１３正面側２７に配置した構成とする。
【００５４】
上記構成により、本体１３の各部品２４とをつなぐリード線２５を結線する。
【００５５】
このように、基板ケースを本体に固定した後にリード線の配線処理を容易に行うことができることとなる。
【００５６】
また、引き込み口２６の構成を、ケース１４とカバー１５のあわせ部２８にリード線２５を引き込み後に確認できるように切欠き２９を設けた構成とする。
【００５７】
上記構成により、制御基板１１から出てくるリード線２５を切欠き２９を通して配線処理する。
【００５８】
このように、配線したリード線がケースとカバーの間に挟み込まれることを防止できることとなる。
【００５９】
また、リード線２５の制御基板１１への引き込み口２６が、制御基板１１の部品面２０よりも下側２１に形成した構成とする。
【００６０】
上記構成により、水がリード線２５を伝わって、制御基板１１に付着することなく排出する。
【００６１】
このように、リード線から伝わって基板ケース内に侵入した水が、基板に直接かからな
いこととなる。
【００６２】
また、制御ボックス１６の風路１８の開口３０は、本体１３の吸込口１７から見えない場所に配置した構成とする。
【００６３】
上記構成により、誤って吸込口１７から侵入した水は、制御ボックス１６の開口３１まで到達しない。
【００６４】
このように、直接制御ボックスの開口から水が制御ボックス内に浸入することがないこととなる。
【００６５】
また、カバー１５は、本体１３の外殻３２の一部を形成している構成とする。
【００６６】
上記構成により、カバー１５は、本体１３の外殻３２の一部を形成している。
【００６７】
このように、充電部に直接手を触れることがなく、かつ、部品点数を削減することができることとなる。
【００６８】
また、本体１３に固定された制御ボックス１６からカバー１５のみが着脱できる構成とする。
【００６９】
上記構成により、制御ボックス１６の下面３３にカバー１５が形成され、カバー１５を前面にスライドして取り外すと、ケース１４内の制御基板１１が確認できる。
【００７０】
このように、制御ボックス内の配線処理とメンテナンス作業が容易にするこができることとなる。
【００７１】
また、制御ボックス１６内を冷却するための穴１９と本体１３の吸込口１７との間に、制御ボックス１６の上面３４にリブ３５を設けた構成とする。
【００７２】
上記構成により、誤って吸込口１７から侵入した水は、リブ３５に衝突し排出する。
【００７３】
このように、本体の吸込口から侵入した水が冷却用の穴から浸入することがないこととなる。
【００７４】
また、リブ３５を、風向３６に対して垂直に配置した構成とする。
【００７５】
上記構成により、誤って吸込口１７から侵入した水は、風向３６に対して垂直にリブ３５に衝突し風に誘引されることなく排出する。
【００７６】
このように、本体の吸込口から侵入した水がより冷却用の穴から浸入することがないこととなる。
【００７７】
また、制御ボックス１６の上面３４を、本体１３の吸込口１７に向かって傾斜３７させた構成とする。
【００７８】
上記構成により、衝突した水は風に誘引されることなく傾斜３７される方向に排出する。
【００７９】
このように、制御ボックスの上面の水が本体の吸込口から排出され冷却用の穴から浸入
することがないこととなる。
【産業上の利用可能性】
【００８０】
本発明の手乾燥装置は、レストランやホテルなどの洗面所やトイレに設置され、また病院や手術室や調理場においても適用される。
【符号の説明】
【００８１】
１    外部
２    開口
３    挿入口
４    乾燥室
５    下部
６    ドレン容器
７    水受け部
８    ノズル部
９    ファンモータ
１０  ヒートシンク
１１  制御基板
１２  フィルター
１３  本体
１４  ケース
１５  カバー
１６  制御ボックス
１７  吸込口
１８  風路
１９  穴
２０  部品面
２１  下側
２２  上側
２３  壁面
２４  各部品
２５  リード線
２６  引き込み口
２７  正面側
２８  あわせ部
２９  切欠き
３０  開口
３１  開口
３２  外殻
３３  下面
３４  上面
３５  リブ
３６  風向
３７  傾斜
【図１】
0005585017.tif 000002
【図２】
0005585017.tif 000003
【図３】
0005585017.tif 000004
【図４】
0005585017.tif 000005
【図５】
0005585017.tif 000006
【図６】
0005585017.tif 000007